Podtech/llm-jp-corpus-v4-ja_patent huggingface dataset:
【手続補正書】
【提出日】平成16年10月26日(2004.10.26)
【手続補正１】
【補正対象書類名】明細書
【補正対象項目名】発明の名称
【補正方法】変更
【補正の内容】
【発明の名称】画像処理装置及びその処理方法
【手続補正２】
【補正対象書類名】明細書
【補正対象項目名】特許請求の範囲
【補正方法】変更
【補正の内容】
【特許請求の範囲】
【請求項１】
入力画像を少なくとも送信処理、表示処理、及び印刷処理に対応するファイル種別のファイルとして蓄積し、蓄積したファイルを読み出して処理する画像処理装置であって、
入力画像を少なくとも送信処理、表示処理、及び印刷処理に対応するファイル種別のファイルとして蓄積する蓄積手段と、
前記蓄積したファイルを読み出す際に適正に読み出されなかったことが検出された場合、そのファイルのファイル種別に応じてエラー報知の制御を行うエラー処理手段とを有することを特徴とする画像処理装置。
【請求項２】
前記入力画像は、少なくとも画像読取装置で読み取られた画像及びネットワークを介して情報処理装置から送られてきたコードデータが展開された画像の何れかであることを特徴とする請求項１に記載の画像処理装置。
【請求項３】
前記エラー処理手段は、前記ファイルエラーが前記表示処理に対応するファイル種別の場合、表示するエラーメッセージを画像表示できない旨の深刻でないエラーメッセージに変更することを特徴とする請求項１に記載の画像処理装置。
【請求項４】
前記エラー処理手段は、前記ファイルエラーが前記送信処理又は印刷処理に対応するファイル種別の場合、表示するエラーメッセージを電源ＯＦＦ／ＯＮを必要とする旨の深刻なエラーメッセージに変更することを特徴とする請求項１に記載の画像処理装置。
【請求項５】
入力画像を所定の形式のファイルに変換して蓄積し、蓄積した画像ファイルを読み出して、少なくとも送信処理、表示処理、及び印刷処理のいずれかの処理を行う画像処理装置であって、
入力画像を少なくとも送信処理、表示処理、及び印刷処理を行うためのファイルとして蓄積する蓄積手段と、
前記蓄積したファイルを読み出す際にファイルエラーが検出された場合、前記ファイルに対応する処理が送信処理または印刷処理である場合には装置の電源をＯＮ／ＯＦＦ制御することによるエラー処理を行い、前記ファイルに対応する処理が送信処理である場合にはエラー通知によるエラー処理を行うよう制御するエラー処理手段とを有することを特徴とする画像処理装置。
【請求項６】
入力画像を少なくとも送信処理、表示処理、及び印刷処理に対応するファイル種別のファイルとして蓄積し、蓄積したファイルを読み出して処理する画像処理装置の処理方法であって、
入力画像を少なくとも送信処理、表示処理、及び印刷処理に対応するファイル種別のファイルとして蓄積する蓄積工程と、
前記蓄積したファイルを読み出す際に適正に読み出されなかったことが検出された場合、そのファイルのファイル種別に応じてエラー報知の制御を行うエラー処理工程とを有することを特徴とする画像処理装置の処理方法。
【請求項７】
入力画像を所定の形式のファイルに変換して蓄積し、蓄積した画像ファイルを読み出して、少なくとも送信処理、表示処理、及び印刷処理のいずれかの処理を行う画像処理装置の処理方法であって、
入力画像を少なくとも送信処理、表示処理、及び印刷処理を行うためのファイルとして蓄積する蓄積工程と、
前記蓄積したファイルを読み出す際にファイルエラーが検出された場合、前記ファイルに対応する処理が送信処理または印刷処理である場合には装置の電源をＯＮ／ＯＦＦ制御することによるエラー処理を行い、前記ファイルに対応する処理が送信処理である場合にはエラー通知によるエラー処理を行うよう制御するエラー処理工程とを有することを特徴とする画像処理装置の処理方法。
【請求項８】
請求項６又は請求項７に記載の画像処理装置の処理方法をコンピュータに実行させるためのプログラム。
【請求項９】
請求項８に記載のプログラムを記録したコンピュータ読み取り可能な記録媒体。
【手続補正３】
【補正対象書類名】明細書
【補正対象項目名】０００５
【補正方法】変更
【補正の内容】
【０００５】
【課題を解決するための手段】
上記目的を達成するために、本発明は、入力画像を少なくとも送信処理、表示処理、及び印刷処理に対応するファイル種別のファイルとして蓄積し、蓄積したファイルを読み出して処理する画像処理装置であって、入力画像を少なくとも送信処理、表示処理、及び印刷処理に対応するファイル種別のファイルとして蓄積する蓄積手段と、前記蓄積したファイルを読み出す際に適正に読み出されなかったことが検出された場合、そのファイルのファイル種別に応じてエラー報知の制御を行うエラー処理手段とを有することを特徴とする。
また上記目的を達成するために、本発明は、入力画像を所定の形式のファイルに変換して蓄積し、蓄積した画像ファイルを読み出して、少なくとも送信処理、表示処理、及び印刷処理のいずれかの処理を行う画像処理装置であって、入力画像を少なくとも送信処理、表示処理、及び印刷処理を行うためのファイルとして蓄積する蓄積手段と、前記蓄積したファイルを読み出す際にファイルエラーが検出された場合、前記ファイルに対応する処理が送信処理または印刷処理である場合には装置の電源をＯＮ／ＯＦＦ制御することによるエラー処理を行い、前記ファイルに対応する処理が送信処理である場合にはエラー通知によるエラー処理を行うよう制御するエラー処理手段とを有することを特徴とする。
【手続補正書】
【提出日】平成17年2月16日(2005.2.16)
【手続補正１】
【補正対象書類名】明細書
【補正対象項目名】０００５
【補正方法】変更
【補正の内容】
【０００５】
図に示すように、デジタルアンプの出力をフィードバックフィルタ９を介して取り出し、あるいはＬＰＦ７の出力側から取り出し、取り出したフィードバック信号をアッテネータ１０及びＡＤ変換器１１を介してＰＷＭ変換器５を含むＤＳＰ１３にフィードバックする。ＤＳＰ１３は、入力信号とＡＤ変換器を介してフィードバックされた出力信号を比較し、出力信号と入力信号の差（歪み成分）が０となるようにデジタル演算を行なう。またＰＷＭ変換器５は該演算をもとに入力信号をＰＷＭ信号に変換する。これにより歪みの抑制された出力を得ることができる（例えば、非特許文献１参照）。
【手続補正２】
【補正対象書類名】明細書
【補正対象項目名】０００６
【補正方法】変更
【補正の内容】
【０００６】
図８は、従来の１ビットＰＤＭ(Pulse Density Modulation)入力デジタルアンプを説明する図である。なお、図において図７に示される部分と同一部分については同一符号を付してその説明を省略する。
【手続補正３】
【補正対象書類名】明細書
【補正対象項目名】０００７
【補正方法】変更
【補正の内容】
【０００７】
デジタルアンプの出力をフィードバックフィルタ９を介して取り出し、あるいはＬＰＦ７の出力側から取り出し、取り出したフィードバック信号をアッテネータ１０及びＡＤ変換器１１を介してＰＷＭ変換器５を含むＤＳＰ１３にフィードバックする。ＤＳＰ１３は、入力信号とＡＤ変換器１１を介してフィードバックされた出力信号を比較し、出力信号と入力信号の差（歪み成分）が０となるようにデジタル演算を行なう。またＰＷＭ変換器５は該演算をもとに入力信号をＰＷＭ信号に変換する。これにより歪みの抑制された出力を得ることができる（例えば、非特許文献１参照）。
【手続補正４】
【補正対象書類名】明細書
【補正対象項目名】０００９
【補正方法】変更
【補正の内容】
【０００９】
【発明が解決しようとする課題】
図６，図７，図８に示すように、従来のいずれの方式のデジタルアンプにおいても、歪みを抑制するためのフィードバックループ内にＡＤコンバータを必要とする。特にＤＳＰに内蔵するＰＷＭ変換器にフィードバックを施す場合、ＡＤコンバータの変換精度はデジタルアンプ全体の性能を大きく左右することになる。例えば、ＡＤコンバータの動作は入力信号が微小レベルになるほど変換誤差が大きくなる。更にデジタルアンプの出力は、ＡＤコンバータの最大入力レベルに合わせて減衰器により減衰させるため、微少な信号成分はノイズフロアに接近し、ノイズとの判別が困難になる。このため、高性能なデジタルアンプを構成しようとすると、高精度かつ高変換速度のＡＤコンバータが必要となるため、コストが上昇する。
【手続補正５】
【補正対象書類名】明細書
【補正対象項目名】００１９
【補正方法】変更
【補正の内容】
【００１９】
一方、デジタルアンプの出力信号を出力増幅段６の出力側から取り出しフィードバックフィルタ９を通過させた後アッテネータ１０により減衰させるか、あるいはＬＰＦ７の出力をアッテネータ１０により減衰させるかしてアナログ出力信号ｂとする。差動増幅器１５は前記アナログ入力信号ａ及びアナログ出力信号ｂの差分を増幅し、得られた増幅出力ｃに基づき定電圧電源１２１の出力電圧を制御する。
【手続補正６】
【補正対象書類名】明細書
【補正対象項目名】００２０
【補正方法】変更
【補正の内容】
【００２０】
アッテネータ１０による出力信号の減衰量は、ＤＳＰ１３内のデジタルアッテネータ３の減衰量及び出力増幅段６の利得の合計結果がＤＡコンバータ１６の出力に一致するようにマイコン１４により制御する。なお、ＤＳＰ１３内のデジタルアッテネータ３の設定及び音量調節のための定電圧電源の電源電圧調整はマイコン１４により行なう。
【手続補正７】
【補正対象書類名】明細書
【補正対象項目名】００２３
【補正方法】変更
【補正の内容】
【００２３】
図に示すように、スイッチング電源の出力電圧と基準電圧Ｖｒｅｆを比較器３３により比較し、この比較出力をもとに発振回路２９の発振周波数やパルス幅を制御してデューティ比を制御している。前記マイコン１４によって基準電圧Ｖｒｅｆを変化させるか、フィードバック回路を構成する分圧器の倍率（分圧抵抗３０，３１による分圧比）を変化することによりスイッチング電源の出力電圧を制御することが可能であり、これによりデジタルアンプの増幅度を制御して出力音量を可変することができる。なお、マイコン１４のＡＤ出力ポート出力を基準電圧として利用すると構成が簡単で精度の高い制御を行うことができる。
【手続補正８】
【補正対象書類名】明細書
【補正対象項目名】００２８
【補正方法】変更
【補正の内容】
【００２８】
図４（ｂ）は、図３における各部の電圧波形を示す図である。図においてａはデジタルアンプの入力信号、ｂは出力信号、ｃは差動増幅器１５の出力信号及び補償増幅器出力信号であり、定電圧電源の定電圧出力Ｖｃｃに対して補償増幅器３７の出力信号ｄが逆相で加算されている。また、ｅはデジタルアンプの最終出力である。
【手続補正９】
【補正対象書類名】明細書
【補正対象項目名】図面の簡単な説明
【補正方法】変更
【補正の内容】
【図面の簡単な説明】
【図１】
本発明の実施形態にかかるデジタルアンプを説明する図である。
【図２】
定電圧電源１２１の詳細を説明する図である。
【図３】
スイッチング電源の他の例を示す図である。
【図４】
各部の電圧波形を示す図である。
【図５】
デジタルアンプの他の例を示す図である。
【図６】
従来のアナログ入力デジタルアンプを説明する図である。
【図７】
従来のＰＣＭマルチビット入力デジタルアンプを説明する図である。
【図８】
従来の１ビットＰＤＭ入力デジタルアンプを説明する図である。
【手続補正１０】
【補正対象書類名】明細書
【補正対象項目名】符号の説明
【補正方法】変更
【補正の内容】
【符号の説明】
１  デジタルオーディオ・インタフェース・レシーバ
２  デジタルフィルタ
３  デジタルアッテネータ
４  ノイズシェーパ
５  ＰＷＭ変換器
６  出力増幅段
７，３８  ＬＰＦ
８  スピーカ
９  フィードバックフィルタ
１０  アッテネータ
１１  ＡＤ変換器
１２  定電圧電源回路
１３  ＤＳＰ
１４  マイコン
１５  差動増幅器
１６  ＤＡ変換器
２１，２７  平滑コンデンサ
２２  変圧器１次コイル
２３  ２次コイル
２４  スイッチングトランジスタ
２５  ダイオード
２６  平滑リアクトル
２８  コントロール回路
２９  発振回路
３０、３１  分圧抵抗
３２  コンデンサ
３３  比較器
３４  変調回路
３５  補償変圧器２次コイル
３６  補償変圧器１次コイル
３７  補償増幅器
１２１  定電圧電源
【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】  畳み込み符号の各遷移状態でのパスの選択情報を記憶して、その記憶された情報を打ち切り長分だけトレースバックすることでビタビ復号を行うビタビ復号方法において、
前記トレースバックの開始ステートを、ステートメトリックの一部のビットのみを利用して決定することを特徴とする
ビタビ復号方法。
【請求項２】  受信した畳み込み符号の各遷移状態でのパスの選択情報を記憶するパスメモリと、
該パスメモリの記憶情報を、打ち切り長分だけトレースバックさせる制御を行い、そのトレースバックの開始ステートを、ステートメトリックの一部のビットのみを利用して決定して、そのトレースバックさせた結果からビタビ復号された結果を得る制御手段とを備える
ビタビ復号装置。
【請求項３】  請求項２記載のビタビ復号装置において、
前記パスメモリに記憶されるステートメトリックを正規化する正規化手段と、
前記正規化手段での正規化の有無に応じたフラグを設定するフラグ設定手段と、
正規化が行われたステートメトリックにフラグ正規化されたことを示すフラグとを設け、
前記制御手段は、フラグ設定手段で設定されたフラグと前記一部のビットとを利用して、トレースバックの開始ステートを決定することを特徴とする
ビタビ復号装置。
【請求項４】
請求項２記載のビタビ復号装置において、
前記制御手段でのトレースバック開始ステートの決定を、前記一部のビットの最小値探索で行うことを特徴とする
ビタビ復号装置。
【請求項５】  請求項２記載のビタビ復号装置において、
前記制御手段でのトレースバック開始ステートの決定を、ステートメトリックの上位の１又は複数ビットの識別計算と、その結果をステート番号に変換して最小値探索で行うことを特徴とする
ビタビ復号装置。
【請求項６】  請求項５記載のビタビ復号装置において、
受信した畳み込み符号のステートメトリックの最上位ビットが全て１になった場合に、その最上位ビットを反転して正規化する正規化手段を備えて、
前記制御手段でのステートメトリックの上位のビットの識別計算を、ステートメトリックの上位２ビットが００であるか０１であるか１０であるかを順次検出することにより行うことを特徴とする
ビタビ復号装置。
【請求項７】  請求項５記載のビタビ復号装置において、
前記制御手段でステートメトリックの上位のビットの識別計算結果をステート番号に変換して最小値探索を行う場合の、識別計算の結果として、最小値候補が複数あった場合に、ステート番号の小さい方から順位付けを行うことを特徴とする
ビタビ復号装置。
【請求項８】  請求項５記載のビタビ復号装置において、
前記制御手段でステートメトリックの上位のビットの識別計算結果をステート番号に変換して最小値探索を行う場合の、識別計算の結果として、最小値候補が複数あった場合に、ステート番号の大きい方から順位付けを行うことを特徴とする
ビタビ復号装置。
【請求項９】  請求項３記載のビタビ復号装置において、
前記制御手段でステートメトリックの上位のビットの識別計算結果をステート番号に変換して最小値探索を行う場合の、識別計算の結果として、最小値候補が複数あった場合に、ステート番号にランダムに順位付けを行うことを特徴とする
ビタビ復号装置。
【請求項１０】  請求項３記載のビタビ復号装置において、
前記制御手段でのトレースバックの開始ステートの決定を、
ステートメトリックの上位ビットの識別計算と、その計算結果をステート番号に変換して最小値探索を行うことを特徴とする
ビタビ復号装置。
【請求項１１】  請求項１０記載のビタビ復号装置において、
受信した畳み込み符号のステートメトリックの最上位ビットが全て１になった場合に、その最上位ビットを反転して正規化する正規化手段を備えて、
前記制御手段でのステートメトリックの上位のビットの識別計算を、ステートメトリックの最上位ビットが０であるか１であるかと、ステートメトリックの最上位より１つ下の桁のビットが０であるか１であるかとを順次検出することにより行うことを特徴とする
ビタビ復号装置。
【請求項１２】  請求項１０記載のビタビ復号装置において、
前記制御手段でステートメトリックの上位のビットの識別計算結果をステート番号に変換して最小値探索を行う場合の、識別計算の結果として、最小値候補が複数あった場合に、ステート番号の小さい方から順位付けを行うことを特徴とする
ビタビ復号装置。
【請求項１３】  請求項１０記載のビタビ復号装置において、
前記制御手段でステートメトリックの上位のビットの識別計算結果をステート番号に変換して最小値探索を行う場合の、識別計算の結果として、最小値候補が複数あった場合に、ステート番号の大きい方から順位付けを行うことを特徴とする
ビタビ復号装置。
【請求項１４】  請求項１０記載のビタビ復号装置において、
前記制御手段でステートメトリックの上位のビットの識別計算結果をステート番号に変換して最小値探索を行う場合の、識別計算の結果として、最小値候補が複数あった場合に、ステート番号にランダムに順位付けを行うことを特徴とする
ビタビ復号装置。
【請求項１５】  畳み込み符号の各遷移状態でのパスの選択情報を記憶して、その記憶された情報を打ち切り長分だけトレースバックすることでビタビ復号を行う処理を実行するプログラムにおいて、
前記トレースバックの開始ステートを、ステートメトリックの一部のビットのみを利用して決定する処理を有することを特徴とする
プログラム。
【手続補正書】
【提出日】平成17年9月28日(2005.9.28)
【手続補正１】
【補正対象書類名】明細書
【補正対象項目名】請求項１
【補正方法】変更
【補正の内容】
【請求項１】  トリミングモードにおいて画像データのトリミング処理を行うトリミングステップと、
トリミング対象の画像上にグリッドを表示するグリッド表示ステップと
を有することを特徴とする画像編集方法。
【手続補正２】
【補正対象書類名】明細書
【補正対象項目名】請求項１５
【補正方法】変更
【補正の内容】
【請求項１５】  トリミングモードにおいて画像データのトリミング処理を行うトリミングステップと、
トリミング対象の画像上にその画像中の主被写体の好適なフレーミングを示唆するための目印を表示する目印表示ステップと
を有することを特徴とする画像編集方法。
【手続補正３】
【補正対象書類名】明細書
【補正対象項目名】請求項１６
【補正方法】変更
【補正の内容】
【請求項１６】  トリミングモードにおいて画像データのトリミング処理を行うトリミング手段と、
トリミング対象の画像上にグリッドを表示するグリッド表示手段と
を有することを特徴とする画像編集装置。
【手続補正４】
【補正対象書類名】明細書
【補正対象項目名】請求項１７
【補正方法】変更
【補正の内容】
【請求項１７】  トリミングモードにおいて画像データのトリミング処理を行うトリミング手段と、
トリミング対象の画像上にその画像中の主被写体の好適なフレーミングを示唆するための目印を表示する目印表示手段と
を有することを特徴とする画像編集装置。
【手続補正５】
【補正対象書類名】明細書
【補正対象項目名】００１０
【補正方法】変更
【補正の内容】
【００１０】
【課題を解決するための手段】
本発明の一観点によれば、トリミングモードにおいて画像データのトリミング処理を行うトリミングステップと、トリミング対象の画像上にグリッドを表示するグリッド表示ステップとを有することを特徴とする画像編集方法が提供される。
本発明のさらに他の観点によれば、トリミングモードにおいて画像データのトリミング処理を行うトリミングステップと、トリミング対象の画像上にその画像中の主被写体の好適なフレーミングを示唆するための目印を表示する目印表示ステップとを有することを特徴とする画像編集方法が提供される。
【手続補正書】
【提出日】平成16年4月27日(2004.4.27)
【手続補正１】
【補正対象書類名】明細書
【補正対象項目名】００２８
【補正方法】変更
【補正の内容】
【００２８】
送受信部１５は、端末局３から送信されたＯＦＤＭ信号をアンテナ１６を介して受信し、受信ＯＦＤＭ変調信号としてＯＦＤＭモデム部１４に供給する。ＯＦＤＭモデム部１４は受信ＯＦＤＭ変調信号を復調し、受信データとしてＭＡＣ制御部１３に供給する。
【手続補正２】
【補正対象書類名】明細書
【補正対象項目名】００２９
【補正方法】変更
【補正の内容】
【００２９】
ＭＡＣ制御部１３は受信データの無線フレームを分解し、ネットワークインターフェース部１２を介して外部ネットワーク５に供給するとともに、当該外部ネットワーク５からネットワークインターフェース部１２を介して供給された、端末局３あての送信データを、無線フレームに構成してＯＦＤＭモデム部１４に供給する。ビーコン送信手段としてのＯＦＤＭモデム部１４は送信データを変調してＯＦＤＭ変調信号を生成し、ビーコン送信手段としての送受信部１５及びアンテナ１６を介して送信する。
【手続補正３】
【補正対象書類名】明細書
【補正対象項目名】００３０
【補正方法】変更
【補正の内容】
【００３０】
またＭＡＣ制御部１３は、ビーコンの制御、データ及び制御パケットのＭＡＣ制御、並びにＣＳＭＡ／ＣＡの制御を行う。
【手続補正４】
【補正対象書類名】明細書
【補正対象項目名】００３１
【補正方法】変更
【補正の内容】
【００３１】
一方、図３に示すように端末局３においては、端末局通信制御部２１に対してホストインターフェース部２２、ＭＡＣ制御部２３及びＯＦＤＭモデム部２４が接続されている。端末局通信制御部２１は後述する端末局通信制御部プログラムに従い、端末局３の各部を統括的に制御する。
【手続補正５】
【補正対象書類名】明細書
【補正対象項目名】００３２
【補正方法】変更
【補正の内容】
【００３２】
送受信部２５は、基地局２や他の端末局３から送信されたＯＦＤＭ信号をアンテナ２６を介して受信し、受信ＯＦＤＭ変調信号としてＯＦＤＭモデム部２４に供給する。ＯＦＤＭモデム部２４は受信ＯＦＤＭ変調信号を復調し、受信データとしてＭＡＣ制御部２３に供給する。
【手続補正６】
【補正対象書類名】明細書
【補正対象項目名】００４０
【補正方法】変更
【補正の内容】
【００４０】
送信予告情報としての後続データ情報４１２は、当該ビーコンに続く基地局２からの下りデータパケットの有無を通知するものであり、後続データが無い場合は「０」が、後続データが有る場合は「１」が記入される。
【手続補正７】
【補正対象書類名】図面
【補正対象項目名】図２
【補正方法】変更
【補正の内容】
【図２】
2004128654.tif 000001
【手続補正８】
【補正対象書類名】図面
【補正対象項目名】図３
【補正方法】変更
【補正の内容】
【図３】
2004128654.tif 000002
【手続補正９】
【補正対象書類名】図面
【補正対象項目名】図４
【補正方法】変更
【補正の内容】
【図４】
2004128654.tif 000003
【手続補正１０】
【補正対象書類名】図面
【補正対象項目名】図６
【補正方法】変更
【補正の内容】
【図６】
2004128654.tif 000004
【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
マイクを有した第１の端末本体と、
レシーバと表示部を有する第２の端末本体と、
前記第１の端末本体と前記第２の端末本体を、前記第２の端末本体の表示部の表示面に水平な方向において相対的に回動自在とし、前記第１の端末本体の上に前記第２の端末本体を重ねた状態と、前記第１の端末本体と前記第２の端末本体を所定角度に開いた状態とするヒンジ機構と、
前記第１または第２の端末本体の前記ヒンジ機構とは反対側の端部に設けられた第１のアンテナと、
前記第１のアンテナとでダイバーシティアンテナを構成し、前記ヒンジ機構近傍部に設けられた第２のアンテナと
を備えたことを特徴とする携帯通信端末。
【請求項２】
請求項１記載の携帯通信端末であって、
前記第１のアンテナは、送受信用のアンテナであることを特徴とする携帯通信端末。
【請求項３】
請求項１記載の携帯通信端末であって、
前記第２のアンテナは、受信用のアンテナであることを特徴とする携帯通信端末。
【請求項４】
請求項１記載の携帯通信端末であって、
前記第１のアンテナは、アンテナ本体と、前記第１または第２の端末本体に取り付けられたアンテナ支持部材とを有し、
前記アンテナ本体は、前記アンテナ支持部材に対して可動自在に取り付けられていることを特徴とする携帯通信端末。
【請求項５】
請求項１記載の携帯通信端末であって、
前記第１の端末本体の上に前記第２の端末本体を重ねた状態と、前記第１の端末本体と前記第２の端末本体を所定角度として開いた状態の、何れの状態でも音声通話が行われることを特徴とする携帯通信端末。
【請求項６】
請求項１記載の携帯通信端末であって、
前記第１及び第２のアンテナは、前記第１の端末本体に設けられていることを特徴とする携帯通信端末。
【手続補正２】
【補正対象書類名】明細書
【補正対象項目名】０００９
【補正方法】変更
【補正の内容】
【０００９】
【課題を解決するための手段】
本発明の携帯電話端末は、マイクを有した第１の端末本体と、レシーバと表示部を有する第２の端末本体と、第１の端末本体と第２の端末本体を、第２の端末本体の表示部の表示面に水平な方向において相対的に回動自在とし、第１の端末本体の上に第２の端末本体を重ねた状態と、第１の端末本体と第２の端末本体を所定角度に開いた状態とするヒンジ機構と、第１または第２の端末本体のヒンジ機構とは反対側の端部に設けられた第１のアンテナと、第１のアンテナとでダイバーシティアンテナを構成し、ヒンジ機構近傍部に設けられた第２のアンテナとを有することにより、上述した課題を解決する。
【手続補正書】
【提出日】平成17年10月3日(2005.10.3)
【手続補正１】
【補正対象書類名】明細書
【補正対象項目名】請求項１３
【補正方法】変更
【補正の内容】
【請求項１３】  多値のカラー輝度信号を、２値または多値のカラー濃度制御信号へ変換する画像処理装置の画像処理方法であって、
前記カラー輝度信号の入力値がハイライト領域に属するかどうかを検出するステップと、
該検出の結果、前記入力値がハイライト領域に属する場合には、第１の色に対応した濃度出力用のテーブルと第２の色に対応した濃度出力用のテーブルとの和からなるテーブルを用いて補間演算を行い、前記入力値がハイライト領域に属さない場合には、前記第１の色に対応した濃度出力用のテーブルを用いて補間演算を行い、前記入力値を濃度出力に変換するステップと
を備えたことを特徴とする画像処理方法。
【手続補正２】
【補正対象書類名】明細書
【補正対象項目名】００２６
【補正方法】変更
【補正の内容】
【００２６】
また、請求項１３に記載の発明は、多値のカラー輝度信号を、２値または多値のカラー濃度制御信号へ変換する画像処理装置の画像処理方法であって、前記カラー輝度信号の入力値がハイライト領域に属するかどうかを検出するステップと、該検出の結果、前記入力値がハイライト領域に属する場合には、第１の色に対応した濃度出力用のテーブルと第２の色に対応した濃度出力用のテーブルとの和からなるテーブルを用いて補間演算を行い、前記入力値がハイライト領域に属さない場合には、前記第１の色に対応した濃度出力用のテーブルを用いて補間演算を行い、前記入力値を濃度出力に変換するステップとを備えたことを特徴とする。
【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
相対的に高感度の主感光部と相対的に低感度の従感光部とで構成される受光素子を含み、該主感光部と従感光部とから独立に信号電荷を読み出し可能である固体撮像素子の信号読み出し方法において、該方法は、
前記主感光部から信号電荷を読み出す工程と、
該読み出した信号電荷をデジタル化して２つのメモリにそれぞれ格納する工程と、
該２つのメモリのうち一方に格納したデジタル信号をゲインアップして他方に格納したデジタル信号と合成する工程とを含み、
これによって主感光部のみを使用して固体撮像素子のダイナミックレンジを拡大することを特徴とする固体撮像素子の信号読み出し方法。
【請求項２】
相対的に高感度の主感光部と相対的に低感度の従感光部とで構成される受光素子を含み、該主感光部と従感光部とから独立に信号電荷を読み出し可能である固体撮像素子の信号読み出し方法において、該方法は、
前記主感光部から信号電荷を読み出す工程と、
該読み出した信号電荷を異なるゲインによってアナログゲインアップして高ゲインアップ信号および低ゲインアップ信号を生成する工程と、
該高ゲインアップ信号および低ゲインアップ信号をそれぞれデジタル化し、２つのメモリにそれぞれ格納する工程と、
前記高ゲインアップ信号と前記低ゲインアップ信号とを合成する工程とを含み、
これによって主感光部のみを使用して固体撮像素子のダイナミックレンジを拡大することを特徴とする固体撮像素子の信号読み出し方法。
【請求項３】
請求項１または２に記載の方法において、前記信号電荷を読み出す工程では、前記主感光部からの信号電荷に従感光部からの信号電荷を混合して読み出すことを特徴とする固体撮像素子の信号読み出し方法。
【請求項４】
相対的に高感度の主感光部と相対的に低感度の従感光部とで構成される受光素子を含み、該主感光部と従感光部とから独立に信号電荷を読み出し可能である固体撮像素子の信号読み出し方法において、該方法は、
被写界の輝度分布から所定の評価値を算出する工程と、
該評価値に応じて、前記主感光部および従感光部から独立に信号電荷を読み出す第１の工程、前記主感光部のみから信号電荷を読み出す工程、および前記主感光部からの信号電荷に従感光部からの信号電荷を混合して読み出す第２の工程、からなる群から１つを選択する第３の工程と、
第１の工程を選択した場合に、前記主感光部および従感光部から独立に読み出した信号電荷を合成する工程と、
第２の工程を選択した場合に、前記主感光部から読み出した信号電荷を２種類のゲインでゲインアップして合成する工程と、
第３の工程を選択した場合に、前記混合して読み出した信号電荷を２種類のゲインでゲインアップして合成する工程とを含み、
これによって固体撮像素子のダイナミックレンジを拡大することを特徴とする固体撮像素子の信号読み出し方法。
【手続補正書】
【提出日】平成17年8月24日(2005.8.24)
【手続補正１】
【補正対象書類名】明細書
【補正対象項目名】特許請求の範囲
【補正方法】変更
【補正の内容】
【特許請求の範囲】
【請求項１】
入力レベルを検出する入力レベル検出器と、
並列に設けられた複数台の増幅器と、
前記入力レベル検出器により検出される入力レベルに応じて前記複数台の増幅器を合成状態または非合成状態に切替制御する制御手段と
を備えたことを特徴とする増幅装置。
【請求項２】
請求項１に記載の増幅装置において、
前記制御手段は、タイマを内蔵すると共に、トラヒック量を判断するための入力レベルの複数のレベル閾値と、前記増幅器を非合成状態で動作されるための入力レベルの継続時間のタイマ閾値または非合成状態から解除させるための入力レベルの継続時間のタイマ閾値が設定されていて、これら複数のレベル閾値とタイマ閾値とに基づいて前記複数台の増幅器を合成状態または非合成状態に切替制御する
ことを特徴とする増幅器。
【請求項３】
入力レベルを検出するレベル検出器と、
並列に設けられた複数台の増幅器と、
前記入力レベル検出器により検出される入力レベルが閾値以上のとき、前記複数台の増幅器を合成状態に切替制御する制御手段と
を備えたことを特徴とする増幅装置。
【手続補正２】
【補正対象書類名】明細書
【補正対象項目名】００１０
【補正方法】変更
【補正の内容】
【００１０】
また、前記制御手段は、タイマを内蔵すると共に、トラヒック量を判断するための入力レベルの複数のレベル閾値と、前記増幅器を非合成状態で動作させるための入力レベルの継続時間のタイマ閾値または非合成状態から解除させるための入力レベルの継続時間のタイマ閾値が設定されていて、これら複数のレベル閾値とタイマ閾値とに基づいて前記複数台の増幅器を合成状態または非合成状態に切替制御するものである。この構成により、各増幅器の使用状況（各基地局のトラヒック状況）に合わせた最適なスリープモード制御の設定が可能となる。
【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
色空間上の複数の色値に対して平滑化を行うことにより色補正テーブルを作成する色補正テーブル作成方法において、
前記色空間上における無彩色の値に対して平滑化を行い、
前記平滑化により該無彩色の値が無彩色でない第２の値へ変換された場合該第２の値を補正する、
ことを特徴とする色補正テーブル作成方法。
【請求項２】
前記第２の値を無彩色軸上の値に変更するよう補正することを特徴とする請求項１記載の色補正テーブル作成方法。
【請求項３】
前記第２の値を前記色空間上において無彩色軸上の値に射影するよう補正することを特徴とする請求項１記載の色補正テーブル作成方法。
【請求項４】
前記平滑化における平滑化条件を設定することを特徴とする請求項１記載の色補正テーブル作成方法。
【請求項５】
前記平滑化条件は、平滑化前後の色変化量の制限値であることを特徴とする請求項４記載の色補正テーブル作成方法。
【請求項６】
前記平滑化条件は、無彩色と無彩色でない色とそれぞれ設定されることを特徴とする請求項４記載の色補正テーブル作成方法。
【請求項７】
前記無彩色に対する平滑化条件は、無彩色軸上の複数位置における色変化量の制限値に基づくことを特徴とする請求項６記載の色補正テーブル作成方法。
【請求項８】
請求項１に記載の色補正テーブル作成方法をコンピュータによって実現する制御プログラム。
【請求項９】
請求項８に記載の制御プログラムを格納する記憶媒体。
【請求項１０】
色空間上の複数の色値に対して平滑化を行うことにより色補正テーブルを作成する色補正テーブル作成装置において、
前記色空間上における無彩色の値に対して平滑化を行う平滑化部と、
前記平滑化により該無彩色の値が無彩色でない第２の値へ変換された場合該第２の値を補正する補正部とを有することを特徴とする色補正テーブル作成装置。
【手続補正書】
【提出日】平成17年5月30日(2005.5.30)
【手続補正１】
【補正対象書類名】明細書
【補正対象項目名】発明の名称
【補正方法】変更
【補正の内容】
【発明の名称】携帯通信端末
【手続補正２】
【補正対象書類名】明細書
【補正対象項目名】特許請求の範囲
【補正方法】変更
【補正の内容】
【特許請求の範囲】
【請求項１】
複数のモードを有する携帯通信端末であって、
少なくとも誤動作防止解除ボタンを含む複数の操作ボタンを有した第１の端末本体と、
表示部を有した第２の端末本体と、
前記第１の端末本体と前記第２の端末本体を、前記表示部に対して水平な方向において相対的に回動自在とし、前記第１の端末本体の上に前記第２の端末本体を重ねた状態と、前記第１の端末本体と前記第２の端末本体を所定の角度に開いた状態とするヒンジ機構と、
前記第１の端末本体の上に前記第２の端末本体が重ねられて、少なくとも前記誤動作防止解除ボタンが覆われた状態から、前記第１及び第２の端末本体を相対的に回転させて前記誤動作防止解除ボタンを露出させ、当該誤動作防止解除ボタンを押して誤動作防止状態を解除すると共に、当該携帯通信端末の前記各モードを所定のモードに切り替えるモード切替手段とを備えたこと
を特徴とする携帯通信端末。
【請求項２】
請求項１に記載の携帯通信端末であって、
前記誤動作防止解除ボタンは、前記ヒンジ機構とは反対側の前記第１の端末本体の端部近傍に設けられていること
を特徴とする携帯通信端末。
【請求項３】
請求項１に記載の携帯通信端末であって、
前記誤動作防止解除ボタンを押す回数に応じて当該携帯通信端末の前記各モードが切り替わること
を特徴とする携帯通信端末。
【請求項４】
請求項１に記載の携帯通信端末であって、
前記誤動作防止解除ボタンを押した時間に応じて当該携帯通信端末の前記各モードが切り替わること
を特徴とする携帯通信端末。
【請求項５】
複数の操作ボタンを有した第１の端末本体と、
表示部を有した第２の端末本体と、
前記第１の端末本体と前記第２の端末本体を、前記表示部に対して水平な方向において相対的に回動自在とし、前記第１の端末本体の上に前記第２の端末本体を重ねた状態と、前記第１の端末本体と前記第２の端末本体を所定の角度に開いた状態とするヒンジ機構と、
前記第１の端末本体と前記第２の端末本体を第１の角度に開いたときに、誤動作防止状態を解除する誤動作防止解除機構を備えたこと
を特徴とする携帯通信端末。
【請求項６】
請求項５に記載の携帯通信端末であって、
前記第１の端末本体と前記第２の端末本体は、前記重ねた状態から一方向にのみ回転することで、前記所定の角度に開いた状態となるようになされており、
前記一方向とは反対方向に前記第１の角度に開くことで誤動作防止状態を解除すること
を特徴とする携帯通信端末。
【請求項７】
請求項５又は請求項６に記載の携帯通信端末であって、
前記第１の端末本体と前記第２の端末本体が前記第１の角度に開いた後、当該第１の端末本体の上に第２の端末本体を前記重ねた状態に自動的に復帰させる復帰機構を備えたこと
を特徴とする携帯通信端末。
【手続補正３】
【補正対象書類名】明細書
【補正対象項目名】０００１
【補正方法】変更
【補正の内容】
【０００１】
【発明の属する技術分野】
本発明は、携帯通信端末に関する。
【手続補正４】
【補正対象書類名】明細書
【補正対象項目名】０００８
【補正方法】変更
【補正の内容】
【０００８】
本発明は、このような課題に鑑みてなされたものであり、ポケットやカバンなどの中で誤動作する危険性が少なく、且つ、簡単な操作でボタン入力などの無効化状態を解除することのできる携帯通信端末の提供を目的とする。
【手続補正５】
【補正対象書類名】明細書
【補正対象項目名】０００９
【補正方法】変更
【補正の内容】
【０００９】
本発明に係る携帯通信端末は、複数のモードを有する携帯通信端末であって、上述の課題を解決するための手段として、少なくとも誤動作防止解除ボタンを含む複数の操作ボタンを有した第１の端末本体と、表示部を有した第２の端末本体と、前記第１の端末本体と前記第２の端末本体を、前記表示部に対して水平な方向において相対的に回動自在とし、前記第１の端末本体の上に前記第２の端末本体を重ねた状態と、前記第１の端末本体と前記第２の端末本体を所定の角度に開いた状態とするヒンジ機構とを有している。さらに、この携帯通信端末は、前記第１の端末本体の上に前記第２の端末本体が重ねられて、少なくとも前記誤動作防止解除ボタンが覆われた状態から、前記第１及び第２の端末本体を相対的に回転させて前記誤動作防止解除ボタンを露出させ、当該誤動作防止解除ボタンを押して誤動作防止状態を解除すると共に、当該携帯通信端末の前記各モードを所定のモードに切り替えるモード切替手段を有している。
【手続補正６】
【補正対象書類名】明細書
【補正対象項目名】００１１
【補正方法】変更
【補正の内容】
【００１１】
また、本発明に係る携帯通信端末は、上述の課題を解決するための手段として、複数の操作ボタンを有した第１の端末本体と、表示部を有した第２の端末本体と、前記第１の端末本体と前記第２の端末本体を、前記表示部に対して水平な方向において相対的に回動自在とし、前記第１の端末本体の上に前記第２の端末本体を重ねた状態と、前記第１の端末本体と前記第２の端末本体を所定の角度に開いた状態とするヒンジ機構を有している。さらに、この携帯通信端末は、前記第１の端末本体と前記第２の端末本体を第１の角度に開いたときに、誤動作防止状態を解除する誤動作防止解除機構を有している。
【手続補正７】
【補正対象書類名】明細書
【補正対象項目名】００１２
【補正方法】変更
【補正の内容】
【００１２】
本発明に係る携帯通信端末によれば、第１の端末本体と第２の端末本体を第１の角度に開いたときに誤動作防止状態が解除されるので、使用者は簡単な操作で誤動作防止状態を解除することができる。
【手続補正８】
【補正対象書類名】明細書
【補正対象項目名】００７２
【補正方法】変更
【補正の内容】
【００７２】
また、本発明に係る携帯通信端末によれば、第１の端末本体と第２の端末本体を第１の角度だけ開いたときに誤動作防止状態を解除するので、使用者は簡単且つすばやく誤動作防止状態を解除することができる。また、誤動作防止状態を解除するための専用のボタンを必要としないため、デザインの自由度を高めることができる。また、誤動作防止状態を解除した後は、自動的に元の閉じた状態に戻るため、次の操作に円滑に移行することができる。
【手続補正書】
【提出日】平成17年9月20日(2005.9.20)
【手続補正１】
【補正対象書類名】明細書
【補正対象項目名】発明の名称
【補正方法】変更
【補正の内容】
【発明の名称】撮像装置、撮像方法及びコンピュータプログラム
【手続補正２】
【補正対象書類名】明細書
【補正対象項目名】特許請求の範囲
【補正方法】変更
【補正の内容】
【特許請求の範囲】
【請求項１】  複数の発光手段と、該発光手段の発光に同期して写真画像の取り込みを行う撮像手段とを備える撮像装置において、
複数の撮像位置を選択的に受け付ける手段と、
該手段によって受け付けた撮像位置に対応する発光量を受け付ける手段と
を備え、
該手段で受け付けた発光量で前記発光手段を発光させ、前記撮像手段で写真画像を取り込むように構成してあることを特徴とする撮像装置。
【請求項２】  複数の発光手段と、該発光手段の発光に同期して写真画像の取込を行う撮像手段とを備える撮像装置における撮像方法において、
複数の撮像位置を選択的に受け付けるステップと、
該ステップにて受け付けた撮像位置に対応する発光量を受け付けるステップと、
該ステップにて受け付けた発光量で前記発光手段を発光させるステップと、
前記撮像手段で写真画像を取り込むステップと
を含むことを特徴とする撮像方法。
【請求項３】  撮像手段が写真画像を取り込むタイミングで発光する複数の発光手段をコンピュータに制御させるためのコンピュータプログラムにおいて、
コンピュータに、
複数の撮像位置を選択的に受け付けるステップと、
該ステップにて受け付けた撮像位置に対応する発光量を受け付けるステップと、
該ステップにて受け付けた発光量で前記発光手段を発光させるステップと、
前記撮像手段に写真画像を取り込ませるステップと
を実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、複数の発光手段により被写体を照射する撮像装置、撮像方法、及びコンピュータを該撮像装置として機能させるためのコンピュータプログラムに関する。
【手続補正４】
【補正対象書類名】明細書
【補正対象項目名】０００６
【補正方法】変更
【補正の内容】
【０００６】
本発明は斯かる事情に鑑みてなされたものであって、その目的とするところは、選択した撮像位置に対応する発光量を受け付け、受け付けた発光量で複数の発光手段を発光させるようにして適切な照明ができる撮像装置、撮像方法及びコンピュータプログラムを提供することにある。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
第１発明に係る撮像装置は、複数の発光手段と、該発光手段の発光に同期して写真画像の取り込みを行う撮像手段とを備える撮像装置において、複数の撮像位置を選択的に受け付ける手段と、該手段によって受け付けた撮像位置に対応する発光量を受け付ける手段とを備え、該手段で受け付けた発光量で前記発光手段を発光させ、前記撮像手段で写真画像を取り込むように構成してあることを特徴とする。
【手続補正７】
【補正対象書類名】明細書
【補正対象項目名】０００９
【補正方法】変更
【補正の内容】
【０００９】
第２発明に係る撮像方法は、複数の発光手段と、該発光手段の発光に同期して写真画像の取込を行う撮像手段とを備える撮像装置における撮像方法において、複数の撮像位置を選択的に受け付けるステップと、該ステップにて受け付けた撮像位置に対応する発光量を受け付けるステップと、該ステップにて受け付けた発光量で前記発光手段を発光させるステップと、前記撮像手段で写真画像を取り込むステップとを含むことを特徴とする。
【手続補正８】
【補正対象書類名】明細書
【補正対象項目名】００１０
【補正方法】変更
【補正の内容】
【００１０】
第３発明に係るコンピュータプログラムは、撮像手段が写真画像を取り込むタイミングで発光する複数の発光手段をコンピュータに制御させるためのコンピュータプログラムにおいて、コンピュータに、複数の撮像位置を選択的に受け付けるステップと、該ステップにて受け付けた撮像位置に対応する発光量を受け付けるステップと、該ステップにて受け付けた発光量で前記発光手段を発光させるステップと、前記撮像手段に写真画像を取り込ませるステップとを実行させることを特徴とする。
【手続補正９】
【補正対象書類名】明細書
【補正対象項目名】００１１
【補正方法】変更
【補正の内容】
【００１１】
本発明においては、受け付けた撮像位置に対応する発光量を受け付けて、これによって複数の発光手段を発光させるので、写真画像にハレーションが発生するのを防止することが可能であり、またユーザの好みに応じた照度で撮像することが可能である。
【手続補正１０】
【補正対象書類名】明細書
【補正対象項目名】００１２
【補正方法】削除
【補正の内容】
【手続補正１１】
【補正対象書類名】明細書
【補正対象項目名】００４２
【補正方法】変更
【補正の内容】
【００４２】
【発明の効果】
本発明によれば、受け付けた撮像位置に対応する発光量を受け付けて、これによって複数の発光手段を発光させるので、写真画像にハレーションが発生するのを防止することが可能であり、またユーザの好みに応じた照度で撮像することが可能である。
【手続補正１２】
【補正対象書類名】明細書
【補正対象項目名】００４３
【補正方法】削除
【補正の内容】
【手続補正書】
【提出日】平成17年9月21日(2005.9.21)
【手続補正１】
【補正対象書類名】明細書
【補正対象項目名】発明の名称
【補正方法】変更
【補正の内容】
【発明の名称】データ処理方法及びデータ処理装置  
【手続補正２】
【補正対象書類名】明細書
【補正対象項目名】特許請求の範囲
【補正方法】変更
【補正の内容】
【特許請求の範囲】
【請求項１】  原稿サイズの読取領域外の信号を接地レベルにすることにより、ノイズを低減するように制御する制御ステップを有することを特徴とするデータ処理方法。
【請求項２】  原稿サイズの読取領域外の信号を接地レベルにすることにより、ノイズを低減するように制御する制御手段を有することを特徴とするデータ処理装置。
【請求項３】  原稿のデータを読み取る読取手段と、該読取手段により読み取られたデータに対して所定の処理を行うデータ処理手段とを有するデータ処理装置によりデータを処理するデータ処理方法において、
前記原稿のサイズを判定する判定ステップと、
前記判定ステップの判定結果に基づいて前記データの読取領域を設定する読取領域設定ステップと、
前記データ処理手段から出力された信号が前記読取領域設定ステップにより設定された読取領域外における信号である場合に該出力された信号を所定の信号レベルに固定する固定ステップとを有することを特徴とするデータ処理方法。
【請求項４】  前記固定ステップにより固定される所定の信号レベルは、接地レベルであることを特徴とする請求項３記載のデータ処理方法。
【請求項５】  原稿のデータを読み取る読取手段と、該読取手段により読み取られたデータに対して所定の処理を行うデータ処理手段とを有するデータ処理装置において、
前記原稿のサイズを判定する判定手段と、
前記判定手段の判定結果に基づいて前記データの読取領域を設定する読取領域設定手段と、
前記データ処理手段から出力された信号が前記読取領域設定手段により設定された読取領域外における信号である場合に該出力された信号を所定の信号レベルに固定する固定手段とを有することを特徴とするデータ処理装置。
【請求項６】  前記固定手段により固定される所定の信号レベルは、接地レベルであることを特徴とする請求項５記載のデータ処理装置。
【手続補正３】
【補正対象書類名】明細書
【補正対象項目名】０００１
【補正方法】変更
【補正の内容】
【０００１】
【発明の属する技術分野】
本発明は、複写機、ファクシミリ、プリンタ等によりデータを処理するデータ処理方法及び装置に関する。
【手続補正４】
【補正対象書類名】明細書
【補正対象項目名】０００６
【補正方法】変更
【補正の内容】
【０００６】
本発明は、上述した従来技術の有する問題点を解消するためになされたもので、その目的は、ユニット間伝送媒体等からのノイズの放射を低減することを可能にしたデータ処理方法及び装置を提供することである。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００４４
【補正方法】変更
【補正の内容】
【００４４】
シェーディング補正データのサンプリングが終了すると、次のステップＳ５０５で、第１ミラー台ユニット１１３は原稿走査速度まで加速制御が行われ、目標速度に到達した時点で等速制御に切り換えられる。その後、次のステップＳ５０６で、画先信号が入力されるまで待ち、不図示の画先信号（原稿の先端を知らせる信号）の受信後に、次のステップＳ５０７で、画像イネーブル（ＥＮＡＢＬＥ）信号をＯＮし、図４に示すモータ駆動テーブル上の原稿読み取り区間４０６において原稿画像をビデオ（ｖｉｄｅｏ）信号として出力する。同時に画像イネーブル（ＥＮＡＢＬＥ）区間を設定するために、次のステップＳ５０８で、主走査同期信号をカウントアップする。前記ステップＳ５０８において、原稿サイズに等しい所定のカウント数だけ主走査同期信号をカウントした後に、次のステップＳ５０９で、読み取りイネーブル（ＥＮＡＢＬＥ）信号と、ビデオ（ｖｉｄｅｏ）信号の出力は停止される。即ち、図４に示すモータ駆動テーブル上のビデオ（ｖｉｄｅｏ）信号出力停止区間４０７は、ビデオ（ｖｉｄｅｏ）信号の出力が停止している。同時に、次のステップＳ５１０で、第１ミラー台ユニット１１３（図１参照）は、減速・停止制御が行われ、一旦停止後に、次のステップＳ５１１で、第１ミラー台ユニット１１３は、ホームポジションに向けてバックスキャン制御が行われる。第１ミラー台ユニット１１３が不図示のホームポジションに到達した時点で、次のステップＳ５１２で、第１ミラー台ユニット１１３は停止し、一連の画像形成プロセスが終了する。
【手続補正９】
【補正対象書類名】明細書
【補正対象項目名】００８３
【補正方法】変更
【補正の内容】
【００８３】
＜ビット処理のモード選択＞
“００”＝出力０００ｈに固定(１０ｂｉｔマスク)
“０１”＝スルー(下位２ｂｉｔを参照しなければ、当然切り捨てとなる。)
“１０”＝四捨五入。（下位２ｂｉｔ目が“１”のとき）
“１１”＝切り上げ。（下位２ｂｉｔが“００”でないとき）
この機能の“００”設定を用い、画像イネーブル（ＥＮＡＢＬＥ）領域外におけるビデオ（ｖｉｄｅｏ）出力をＧＮＤレベルに固定することにより、信号経路１３１９に載って来るノイズ成分を遮断する効果を得ることができる。点線１３１８は、回路的にノイズ成分が分離可能となるイメージを示している。
【手続補正書】
【提出日】平成17年9月30日(2005.9.30)
【手続補正１】
【補正対象書類名】明細書
【補正対象項目名】請求項１２
【補正方法】変更
【補正の内容】
【請求項１２】  
少なくとも第１の画像データと、前記第１の画像データよりもデータ量を削減した第２の画像データと、前記第１の画像データのための第１の現像条件とを含む複合データを処理する画像処理装置であって、
前記第１の画像データのための第２の現像条件を設定する設定手段と、
前記第２の現像条件を前記第２の画像データに反映させた第３の画像データを生成する生成手段と、
前記第２の現像条件と前記第３の画像データにより前記複合データを更新する更新手段と
を有することを特徴とする画像処理装置。